(57)【特許請求の範囲】
【請求項１】
下面１Ａが湾曲した凸面を形成し、頭部２に釣り糸Ｔ側の部材を係着する一方、尾部３にフックＦ側の部材を係着する天然貝スプーンにおいて、スプーンの上面１Ｂで、前記頭部２の端部から左側縁部２ａの中間部までの部分を、該頭部２の端部から右側縁部２ｂの中間部までの部分より低い面取り状に形成するとともに、スプーンの上面１Ｂで、前記尾部３の端部から右側縁部３ｂの中間部までの部分を、該尾部３の端部から左側縁部３ａの中間部までの部分より低い面取り状に形成したことを特徴とする天然貝スプーン。
【請求項２】
下面１Ａが湾曲した凸面を形成し、頭部２に釣り糸Ｔ側の部材を係着する一方、尾部３にフックＦ側の部材を係着する天然貝スプーンにおいて、スプーンの下面１Ａで、前記頭部２の端部から右側縁部２ｂの中間部までの部分を、該頭部２の端部から左側縁部２ａの中間部までの部分より低い面取り状に形成するとともに、スプーンの下面１Ａで、前記尾部３の端部から左側縁部３ａの中間部までの部分を、該尾部３の端部から右側縁部３ｂの中間部までの部分より低い面取り状に形成したことを特徴とする天然貝スプーン。
【発明の詳細な説明】
【０００１】
【発明が属する技術分野】
本発明は、無垢の天然貝によりルアーとして作成される天然貝スプーンに関し、特に、巻き貝や一枚貝のねじれによるルアーの回転を防止することができる天然貝スプーンに関するものである。
【０００２】
【従来の技術】
アワビや夜光貝等の真珠光沢を有する貝は、貝殻を細長い略卵形のスプーン形状に切り出すとともに、表面の茶色の外皮部分を削り落として内部の独特の真珠光沢を有する層を露出させ、釣りのルアーとして作成される。
【０００３】
これらの天然貝スプーンは、その光のプリズム的な作用と透光性等により、特に、レイクトローリングでのトラウト類に威力を発揮することが知られており、湖のイワナやサクラマス等をターゲットとする釣り人の間では、特にスレている魚に効果的なルアーとして絶大な人気がある。
【０００４】
【発明が解決しようとする課題】
しかしながら、これらの貝は、夜光貝は巻き貝であるし、アワビも一枚貝とはいえ巻き貝の一種であることから、貝殻からどのように切り出して製作したとしても、完成したスプーンにねじれが残り、このねじれによって、実際にフィールドでを使用した際にルアーが回転するという問題がある。
【０００５】
この問題に対処する方法として、極端にスプーンを細くしたり、ねじれの少ない部分を選択的に切り出したりする方法があるが、いずれも問題を根本的には解決することができず、速い速度でルアーを引いたときには回転は避けることはできない。
また、貝殻を裏側と表側の両面から全面的に削りだし、ねじれを少なくする方法もあるが、非常に手間がかかる上に、使用できる貝殻として相当厚みのある貝殻が必要となり、天然の希少な原材料の確保に困難をきたすという問題を招来する。
【０００６】
本発明は、上記従来の天然貝スプーンが有する問題点に鑑み、加工が容易で原材料も特に選ぶことなく、貝のねじれによるルアーの回転をほぼ完全に防止することができる天然貝スプーンを提供することを目的とする。
【０００７】
【課題を解決するための手段】
上記目的を達成するため、本第１発明の天然貝スプーンは、下面１Ａが湾曲した凸面を形成し、頭部２に釣り糸Ｔ側の部材を係着する一方、尾部３にフックＦ側の部材を係着する天然貝スプーンにおいて、スプーンの上面１Ｂで、前記頭部２の端部から左側縁部２ａの中間部までの部分を、該頭部２の端部から右側縁部２ｂの中間部までの部分より低い面取り状に形成するとともに、スプーンの上面１Ｂで、前記尾部３の端部から右側縁部３ｂの中間部までの部分を、該尾部３の端部から左側縁部３ａの中間部までの部分より低い面取り状に形成したことを特徴とする。
【０００８】
また、本第２発明の天然貝スプーンは、下面１Ａが湾曲した凸面を形成し、頭部２に釣り糸Ｔ側の部材を係着する一方、尾部３にフックＦ側の部材を係着する天然貝スプーンにおいて、スプーンの下面１Ａで、前記頭部２の端部から右側縁部２ｂの中間部までの部分を、該頭部２の端部から左側縁部２ａの中間部までの部分より低い面取り状に形成するとともに、スプーンの下面１Ａで、前記尾部３の端部から左側縁部３ａの中間部までの部分を、該尾部３の端部から右側縁部３ｂの中間部までの部分より低い面取り状に形成したことを特徴とする。
【０００９】
これら本第１発明及び第２発明の天然貝スプーンは、ルアーを回転させる原動力を主として生成する片側の側縁部を他の側縁部より低い面取り状に形成したことから、ルアーを引いた際に、貝のねじれによる回転力を大幅に抑制することができ、これにより、速い速度でルアーを引いたときでも、貝のねじれによるルアーの回転をほぼ完全に防止することができる。
そして、加工面では、片側の側縁部を面取り状に削成するだけでよいことから、加工が容易で原材料も特に選ぶこともなく、上記のような回転しない天然貝スプーンを短時間で製作することができる。
【００１０】
【発明の実施の形態】
以下、本発明の天然貝スプーンの実施の形態を、図面に基づいて説明する。
図１〜図２に、本発明の天然貝スプーンの一実施例を示す。
この天然貝スプーンは、例えば、アワビや夜光貝、サザエ等の貝殻を短冊状に切り出すとともに、細長い略卵形の所定のスプーン形状に外形を整え、表面の茶色の外皮部分を削り落として内部の独特の真珠光沢を有する層を露出させる。
【００１１】
削成された天然貝スプーンは、図２に示すように、下面１Ａ側が湾曲した凸面を形成しており、頭部２に釣り糸Ｔ側のスナップスイベル６等が係着される孔７が形成されるとともに、尾部３にフックＦ側のスプリットリング８が係着される孔９が形成され、また、図１に示すように、左右の外形形状がほぼ対称に形成されている。
そして、本実施例では、かかる無垢の天然貝スプーンにおいて、スプーンの上面１Ｂで、前記頭部２の端部から左側縁部２ａの中間部までの部分を、該頭部２の端部から右側縁部２ｂの中間部までの部分より低い面取り部４として形成するとともに、スプーンの上面１Ｂで、前記尾部３の端部から右側縁部３ｂの中間部までの部分を、該尾部３の端部から左側縁部３ａの中間部までの部分より低い面取り部４として形成している。
さらに、この天然貝スプーンでは、スプーンの下面１Ａで、前記頭部２の端部から右側縁部２ｂの中間部までの部分を、該頭部２の端部から左側縁部２ａの中間部までの部分より低い面取り部５として形成するとともに、スプーンの下面１Ａで、前記尾部３の端部から左側縁部３ａの中間部までの部分を、該尾部３の端部から右側縁部３ｂの中間部までの部分より低い面取り部５として形成している。
【００１２】
面取り部４，５は、図１に示すように、スプーンの頭部２又は尾部３の端部を半分巻回するとともに、スプーンの中間部付近まで形成することが好ましく、また、細長く形成される面取り部４，５の終端部は、先細りのテーパ状に形成することが好ましい。
この場合、図１（ｃ）〜（ｅ）に示すような長手方向直交断面で、スプーンの上面が円弧を形成するような場合は、面取り状に低く形成する部分４は水平に近くなることもある（図示省略）。
なお、面取り部４，５を形成しない側縁部の他の部分１０は、切り出したときの切断面をそのまま研磨した状態であり、スプーンの上面１Ｂ又は下面１Ａとの角部は略直角に形成されている。
【００１３】
スプーンに形成する面取り部４，５は、対角線上の位置に形成することが効果的であり、例えば、上面１Ｂ（裏側に相当する）の所定の２箇所に面取り部４を形成することが、ルアーの見栄えの点で好ましい、
そして、スプーンの長さ方向の円弧がきつく、貝のねじれによる回転力が強い場合には、さらに、下面１Ａ側の１乃至２箇所に面取り部５を形成することにより、上記ねじれによる回転力を抑止することができる。
ただし、スプーンの下面１Ａ側のみに面取り部５を形成したり、上面１Ｂ側のみに面取り部４を形成したりすることも当然可能である。
【００１４】
また、図では省略しているが、貝殻が薄く、削成したルアーの厚みが薄い場合には、ルアーの表面を透明のウレタンやエポキシ樹脂等のコーティング材や接着式等の補強材で厚くし、補強することがある。
このような場合も、コーティング又は補強後のスプーンにやはりねじれが残ることになるが、そのときにはコーティング層や補強層に上記面取り部４，５を形成することができる。
すなわち、図１に示すように、スプーンの上面１Ｂで、前記頭部２の端部から左側縁部２ａの中間部までの部分を、該頭部２の端部から右側縁部２ｂの中間部までの部分より低い面取り状に形成するとともに、スプーンの上面１Ｂで、前記尾部３の端部から右側縁部３ｂの中間部までの部分を、該尾部３の端部から左側縁部３ａの中間部までの部分より低い面取り状に形成することができる。
また、同図に示すように、スプーンの下面１Ａで、前記頭部２の端部から右側縁部２ｂの中間部までの部分を、該頭部２の端部から左側縁部２ａの中間部までの部分より低い面取り状に形成するとともに、スプーンの下面１Ａで、前記尾部３の端部から左側縁部３ａの中間部までの部分を、該尾部３の端部から右側縁部３ｂの中間部までの部分より低い面取り状に形成することができる。
【００１５】
かくして、本実施例の天然貝スプーンは、ルアーを回転させる原動力を主として生成する片側の側縁部２ａ，２ｂ，３ａ，３ｂを他の側縁部より低い面取り状に形成したことから、ルアーを引いた際に、貝のねじれによる回転力を大幅に抑制することができ、これにより、速い速度でルアーを引いたときでも、貝のねじれによるルアーの回転をほぼ完全に防止することができる。
そして、加工面では、片側の側縁部２ａ，２ｂ，３ａ，３ｂを面取り状に削成するだけでよいことから、加工が容易で原材料も特に選ぶこともなく、上記のような回転しない天然貝スプーンを短時間で製作することができる。
【００１６】
【発明の効果】
本第１発明及び第２発明の天然貝スプーンによれば、ルアーを回転させる原動力を主として生成する片側の側縁部を他の側縁部より低い面取り状に形成したことから、ルアーを引いた際に、貝のねじれによる回転力を大幅に抑制することができ、これにより、速い速度でルアーを引いたときでも、貝のねじれによるルアーの回転をほぼ完全に防止することができる。
そして、加工面では、片側の側縁部を面取り状に削成するだけでよいことから、加工が容易で原材料も特に選ぶこともなく、上記のような回転しない天然貝スプーンを短時間で製作することができる。
貝殻を裏側と表側の両面から全面的に研削することにより貝のねじれを取る従来の方法では、例えばアワビのスプーンを製作する場合、凹凸が少ない雌貝でしか実施することができないが、本発明の天然貝スプーンでは、凹凸の激しい雄貝にも適用することが可能であり、スプーンが不規則に波打つように形成される場合でも、限定的にスプーンの側縁部を面取り状に低く形成することにより、確実にルアーの回転を防止し、安定したルアーの動きを実現することができる。
【図面の簡単な説明】
【図１】本発明の天然貝スプーンの一実施例を示し、（ａ）は上面側から見た正面図、（ｂ）は下面側から見た正面図、（ｃ）は（ａ）のＡ−Ａ線断面図、（ｄ）は（ａ）のＢ−Ｂ線断面図、（ｅ）は（ａ）のＣ−Ｃ線断面図である。
【図２】同実施例の天然貝スプーンを示す斜視図である。
【符号の説明】
１Ａ  下面
１Ｂ  上面
２    頭部
２ａ  左側縁部
２ｂ  右側縁部
３    尾部
３ａ  左側縁部
３ｂ  右側縁部
４    面取り部
５    面取り部
６    スナップスイベル
７    孔
８    スプリットリング
９    孔
１０  面取り部のない側縁部
【図１】
0004492993.tif 000002
【図２】
0004492993.tif 000003